(57)【要約】【課題】キートップと保持部を連結する連結部が一体となった操作ボタンを、限られた範囲内で可能な限り大きくし、外観ヒケを防止する構成を有する電子機器を提案すること。【解決手段】接着固定部と、側壁及びリブ形状により構成された接着剤溜まり部を有する樹脂成形品の外装部材と、キートップ部と保持部を連結する連結部が同一部材で構成され、前記保持部に凸形状を有する操作ボタンと、前記外装部材の前記接着固定部に前記保持部が接着保持され、前記接着剤溜まり部に前記凸形状が挿入され接着保持されることを特徴とする構成とした。【選択図】図１（ａ）
2014123496.tif 000002
【特許請求の範囲】
【請求項１】
接着固定部（３（ｂ））と、
側壁（３（ｄ））及びリブ形状（３（ｅ））により構成された接着剤溜まり部（３（ｃ））を有する樹脂成形品の外装部材（３）と、
キートップ部（５（ａ））と保持部（５（ｂ））を連結する連結部（５（ｃ））が同一部材で構成され、前記保持部（５（ｂ））に凸形状（５（ｄ））を有する操作ボタン（５）と、
前記外装部材（３）の前記接着固定部（３（ｂ））に前記保持部（５（ｂ））が接着保持され、前記接着剤溜まり部（３（ｃ））に前記凸形状（５（ｄ））が挿入され接着保持されることを特徴とする外装部材と操作ボタンを有する電子機器。
【請求項２】
前記接着固定部（３（ｂ））が前記外装部材（３）の裏面から凸形状となっていることを特徴とする請求項１に記載の電子機器。
【発明の詳細な説明】
【技術分野】
【０００１】
本発明は、操作ボタンを有する電子機器において、限られた範囲内に可能な限り大きく、低コストで操作ボタンを配置することができる電子機器に関するものである。
【背景技術】
【０００２】
従来、様々な機能を有する電子機器には、その機能を使用するための操作ボタンを有しており、容易に操作可能とするために可能な限り大きくすることが求められている。しかし、略直方体形状のデジタルカメラの上面や、側面のような面積の限られた範囲内に配置することも考えられる。また、部品数を極力減らして構成することでコストを削減することも求められている。
【０００３】
例えば、特許文献１では操作ボタンのみで、操作後に復帰用のバネ等を使用せずに、元の位置に復帰可能とする構造が開示されている。
【先行技術文献】
【特許文献】
【０００４】
【特許文献１】特開２００１−２１５５９３号公報
【発明の概要】
【発明が解決しようとする課題】
【０００５】
しかしながら、上述の特許文献１の方法では、コスト削減を達成しているが、外装部材が樹脂の成型品であった場合の外観ヒケについては考慮されていない。
【０００６】
限られた範囲内で操作ボタンを大きくしていき、ボタンの復帰に必要な荷重及び耐久力を確保できる連結部の長さを確保すると、ボタン保持部が外装部材の側壁と隣接する配置となることがある。その際、外観にヒケを生じる恐れがある。
【０００７】
本発明の目的は、キートップと保持部を連結する連結部が一体となった操作ボタンを、限られた範囲内で可能な限り大きくし、外観ヒケを防止する構成を有する電子機器を提案することである。
【課題を解決するための手段】
【０００８】
上記目的を達成するために、本発明は、接着固定部と、側壁及びリブ形状により構成された接着剤溜まり部を有する樹脂成形品の外装部材と、キートップ部と保持部を連結する連結部が同一部材で構成され、前記保持部に凸形状を有する操作ボタンと、前記外装部材の前記接着固定部に前記保持部が接着保持され、前記接着剤溜まり部に前記凸形状が挿入され接着保持されることを特徴とする
【発明の効果】
【０００９】
本発明によれば、操作ボタンを容易に操作可能とするため、限られた範囲内で可能な限り大きくすることができ、且つ少ない部品構成で提供することができる。
【図面の簡単な説明】
【００１０】
【図１（ａ）】本発明の一実施例における断面図
【図１（ｂ）】本発明の一実施例における裏面斜視図
【図１（ｃ）】本発明の一実施例における断面詳細図
【図１（ｄ）】本発明の一実施例における裏面図
【図１（ｅ）】本発明の一実施例における斜視図
【図２】従来例における断面詳細図
【図３】本発明の実施例におけるデジタルカメラ正面斜視図
【発明を実施するための形態】
【００１１】
以下に、本発明の好ましい実施の形態を、添付の図面に基づいて詳細に説明する。図１〜図３は、本発明の実施形態にかかわる操作ボタンを構成した撮像装置の図である。
【実施例１】
【００１２】
図３は、本発明の実施例におけるデジタルカメラ正面斜視図である。図３において、１はカメラ本体の前面の外装部材であり、２は背面の外装部材、３は天面の外装部材であり、樹脂の成型品である。前面部には撮影レンズ４が設けられている。図３の状態では、撮影レンズ４はカメラ本体内に沈胴している。なお、５は操作ボタンであり、本実施例においては電源ボタンとなっている。操作ボタンは、背面側、天面、側面に配置されるのが一般的であるが、背面側のみで収まらず、天面や側面の外装のように、狭く限られた範囲内に配置されることがある。本実施例では前記電源ボタン５を容易に操作可能となるように、可能な限り大きくしている。
【００１３】
前記電源ボタン５をオンすると、撮影レンズ４がカメラ本体から突出して撮影が可能となる。６は回転操作可能なズームレバーである。前記ズームレバー６は回動自在に天面カバー３に具備されている。このズームレバー６を回転させることにより、撮影レンズ４を広角、望遠側へと移動させて所望な撮像範囲を決めることができる。そして、レリーズボタン７を押下することにより、不図示の撮像素子（ＣＣＤやＣＭＯＳセンサ等）により撮像され、カメラ本体内に装填された半導体メモリ等の記憶媒体に撮影画像が記録される。
【００１４】
８は音声入力用のマイクである。マイク８からの音声データは、画像データと合わせて前記記録媒体に記録することができる。また、外装部材３には、操作音や音声再生用スピーカー９が設けられており、記録媒体に保存されている音声を再生したり、不図示のメモリに予め記録されている操作音などが再生できる。
【００１５】
カメラ本体の背面には、不図示の表示部として液晶ディスプレイが設けられている。この表示部には、撮像する被写体の画像や撮像された画像が表示される。
【００１６】
カメラ本体の底面には、カメラ本体に対して不図示の開閉可能な電池蓋及び三脚取り付け用ネジ部が設けられている。この電池蓋を開けることによって、電池をカメラ本体１内に装填することができる。また、この三脚取り付け用ネジ部に三脚を取り付けることにより、カメラ本体を固定して撮影することが可能となる。
【００１７】
図１（ａ）、（ｂ）、（ｃ）、（ｄ）、（ｅ）及び図２にて、本実施例について説明する。
【００１８】
図１（ａ）は本発明の一実施例における断面図であり、図３における前記電源ボタンが天面側の前記外装部材３の裏側に接着固定されている場所の断面図を示している。図１（ｂ）は本発明の一実施例における裏面斜視図であり、前記外装部材３の裏面からの斜視図である。また、図１（ｄ）及び図１（ｅ）は本発明の一実施例における裏面図及び斜視図であり、それぞれ前記外装部材３の裏面図、及び前記電源ボタン５の斜視図である。
【００１９】
３（ｇ）は穴形状であり、３（ｂ）は接着固定部であり、それぞれ前記外装部材３に設けられている。５（ａ）は前記電源ボタン５のキートップ部であり、５（ｂ）は保持部である。３（ｆ）は前記接着固定部３（ｂ）に設けられた位置決めピンであり、５（ｆ）は前記保持部５（ｂ）に設けられた位置決め穴部である。前記電源ボタン５が前記位置決めピン３（ｆ）、及び前記位置決め穴部５（ｂ）にて位置決めされると共に、前記穴形状３（ｇ）に、前記キートップ部５（ａ）が挿入され、前記保持部５（ｂ）が前記接着固定部（３ｂ）に接着固定されている。３（ｄ）は前記外装部材３に設けられた側壁であり、３（ｅ）はリブ形状である。３（ｃ）は接着剤溜まり部であり、前記接着固定部３（ｂ）と、前記側壁３（ｄ）及び前記リブ形状３（ｅ）により囲まれている。
【００２０】
５（ｅ）はスイッチ押しこみ用の押し子形状であり、不図示のスイッチが直下に配置されており、前記押し子形状５（ｅ）により前記スイッチが押しこまれることによりオン状態となり、電源のオンオフを操作することができる。
【００２１】
５（ｃ）は前記キートップ５（ａ）と前記保持部５（ｂ）を同一部材で繋ぐ連結部であり、弾性変形可能となっている。５（ｄ）は凸形状であり、前記接着剤溜まり部３（ｃ）に挿入されている。
【００２２】
図１（ｃ）は本発明の一実施例における断面詳細図であり、図１（ａ）の前記接着剤溜まり部３（ｃ）の詳細図アである。１０は接着剤であり、前記電源ボタン５を前記外装部材３に接着固定している。図２は従来例における断面詳細図であり、図１（ｃ）と同じ場所の詳細図アである。又、本発明を実施しない状態であり、詳しくは前記接着剤溜まり部３（ｃ）を設けていない状態を示している。図２において、限られた範囲内で前記連結部５（ｃ）の耐久性を確保するため長くしていくと、前記接着固定部３（ｂ）が前記側壁部３（ｄ）と隣接する位置となる。ここで、３（ａ）は前記外装部材３の外観部であり、前記接着固定部３（ｂ）と前記側壁３（ｄ）が隣接しているため厚肉部となり、外観ヒケが懸念される。
【００２３】
しかしながら、本実施例の図１（ｃ）のように前記接着剤溜まり部３（ｃ）を構成することにより、外観ヒケを防止することが可能となる。また、前記接着固定部３（ｂ）に接着剤を塗布して、前記電源ボタン５の前記保持部５（ｂ）を接着固定すると共に、接着剤が前記接着剤溜まり部３（ｃ）に溜まり、そこへ前記凸形状５（ｄ）が挿入される。そのため、前記接着固定部３（ｂ）の面のみで接着する場合と比較して、図１（ｃ）のように前記凸形状５（ｄ）全面が前記接着剤１０によって前記接着剤溜まり部３（ｃ）内にて接着されるため、より強固な接着力を得ることができる。
【００２４】
前記連結部５（ｃ）は弾性変形可能となっているため、前記保持部５（ｂ）が固定された状態でも矢印Ａの方向へ前記キートップ部５（ａ）を押しこむことができる。そして、前記連結部５（ｃ）は弾性力を持っているため、押した際には適当な反発力を感じることができる。また、前記押し子形状５（ｆ）が前記スイッチを押しこんだ後、前記連結部５（ｃ）の弾性力により前記キートップ部５（ａ）を元の位置に復帰させる。このように前記電源ボタン５のみで押した際の反発力を発生し、また操作後の復帰力により復帰可能なため、その他の部品を構成する必要がない。
【００２５】
また、本発明において、前記接着固定部３（ｂ）が、前記外装部材３の裏面から凸形状となっている。ここで、仮に前記接着固定部３（ｂ）が前記外装部材３の裏面から凹形状であった場合、接着剤が周囲にはみ出さないように、前記電源ボタン５の前記保持部５（ｂ）の周囲にある程度の高さを要するリブ形状等が必要となり、より広い範囲を使用する必要がある。更には厚肉部が増えてしまい、外観ヒケに対しても不利である。そのため、本発明によるとより小さい範囲内で構成することが可能であり、外観ヒケを防止することができる。
【００２６】
以上、本発明の好ましい実施形態について説明したが、本発明はこれらの実施形態に限定されず、その要旨の範囲内で種々の変形及び変更が可能である。
【００２７】
例えば、本発明においては、ここでは電源ボタンについて説明したが、その他の操作ボタンに適用してもよく、それぞれに割り当てられた機能を操作することができる。
【符号の説明】
【００２８】
１  前面側外装部材
２  背面側外装部材
３  天面側外装部材
３（ａ）  外観部
３（ｂ）  接着固定部
３（ｃ）  接着剤溜まり部
３（ｄ）  側壁
３（ｅ）  リブ形状
３（ｆ）  位置決めピン
３（ｇ）  穴部
４  撮影レンズ
５  電源ボタン
５（ａ）  キートップ部
５（ｂ）  保持部
５（ｃ）  連結部
５（ｄ）  凸形状
５（ｅ）  押し子部
５（ｆ）  位置決め穴部
６  ズームレバー
７  レリーズボタン
８  マイク
９  スピーカー
１０  接着剤
【図１（ａ）】
2014123496.tif 000003
【図１（ｂ）】
2014123496.tif 000004
【図１（ｃ）】
2014123496.tif 000005
【図１（ｄ）】
2014123496.tif 000006
【図１（ｅ）】
2014123496.tif 000007
【図２】
2014123496.tif 000008
【図３】
2014123496.tif 000009